(57)【特許請求の範囲】
【請求項１】
単一周波数の搬送波信号を発生するシンセサイザと、該シンセサイザから入力される上記搬送波信号の信号レベルを、別途減衰制御信号発生手段から入力される減衰制御信号により所要の減衰量の変化で減衰させることができるアッテネータと、該アッテネータから入力される搬送波信号の信号レベルを所要信号レベルまで増幅するドライブアンプと、該ドライブアンプから入力される搬送波信号を別途入力される変調信号で変調し送信信号を出力する変調器と、所要電圧の電源に接続されており、送信オン／オフ制御信号に応じて前記ドライブアンプに供給する所要電圧の電力をオン／オフする電源制御手段と、前記送信オン／オフ制御信号に応じて前記アッテネータの減衰量を変化させる前記減衰制御信号を出力する前記減衰信号発生手段とを備える送信信号発生部を有し送信信号を送信する送信機を具備し、前記減衰制御信号に基づいて前記アッテネータの減衰量を前記変調信号の予め定められた振幅の立ち上がり／立ち下がり特性に応じて予め定められた反比例した関数で変化させ、前記ドライブアンプから出力される搬送波信号の立ち上がり／立ち下がりを前記変調信号の特性とほぼ等しくなるようにし、前記ドライブアンプのオン／オフ制御においても周波数のふらつきを抑えたことを特徴とする無線機。
【請求項２】
単一周波数の搬送波信号を発生するシンセサイザと、該シンセサイザから入力される上記搬送波信号の信号レベルを、別途減衰制御信号発生手段から入力される減衰制御信号により所要の減衰量の変化で減衰させることができるアッテネータと、該アッテネータから入力される減衰された搬送波信号の信号レベルを所要信号レベルまで増幅するバッファアンプと、該バッファアンプから入力される搬送波信号の信号レベルを所要信号レベルまで増幅するドライブアンプと、該ドライブアンプから入力される搬送波信号を別途入力される変調信号で変調し送信信号を出力する変調器と、所要電圧の電源に接続されており、送信オン／オフ制御信号に応じて前記ドライブアンプに供給する所要電圧の電力をオン／オフする電源制御手段と、前記送信オン／オフ制御信号に応じて前記アッテネータの減衰量を変化させる前記減衰制御信号を出力する前記減衰信号発生手段とを備える送信信号発生部を有し送信信号を送信する送信機を具備し、前記減衰制御信号に基づいて前記アッテネータの減衰量を前記変調信号の予め定められた振幅の立ち上がり／立ち下がり特性に応じて予め定められた反比例した関数で変化させ、前記ドライブアンプから出力される搬送波信号の立ち上がり／立ち下がりを前記変調信号の特性とほぼ等しくなるようにし、前記ドライブアンプのオン／オフ制御においても周波数のふらつきを抑えたことを特徴とする無線機。
【発明の詳細な説明】
【０００１】
【発明の属する技術分野】
本発明は、送信信号の搬送波信号を高速でオン／オフの切換えをする必要があるディジタル無線機、例えば、ＴＤＭＡ（Ｔｉｍｅ  Ｄｉｖｉｓｉｏｎ  Ｍｕｌｔｉｐｌｅ  Ａｃｃｅｓｓ：時分割多元接続）方式の無線機における搬送波信号のオン／オフ切換え手段を改良した無線機に関するものである。
【０００２】
【従来の技術】
周知のように、無線機は、送信信号を他の無線機へ送信する送信機と、他の無線機から送信され大気中を伝送されてきた他の無線機の送信信号を受信する受信機とで構成されており、伝送したい信号、例えば、音声、あるいは、データで所要周波数の搬送波信号を変調した送信信号を送信機から他の無線機へ送信したり、他の無線機の伝送したい信号で変調された送信信号を受信機で受信し、受信信号を復調して音声、あるいは、データを取り出したりしている。
このように無線による通信が可能な無線機は、伝送したい信号の種類や無線通信の目的などにより、多くの方式の無線機が開発され、実用化されているが、近時は、ディジタル信号処理による無線機が目覚ましい進展をしている。
このディジタル無線機の中で、例えば、ＴＤＭＡ方式の無線機は、限られた周波数を有効活用することができるように、使用する一つの周波数で時分割多元接続を行ない、複数のディジタル無線機による通信を可能としている。
このようなディジタル無線機では、時分割多元接続を行なうために、変調信号で変調する搬送波信号を所要の制御手段で高速のオン／オフ制御をしている。
【０００３】
まず、従来のディジタル無線機で使用されている搬送波信号を高速でオン／オフ制御するための基本的な制御手段を、図３、図４を使用して説明する。
図３は、従来のディジタル無線機に使用されている送信信号発生部のブロック図を示し、図４は、送信信号発生部から出力される送信信号のオン／オフを制御する送信オン／オフ制御信号の波形と、ドライブアンプのオン／オフにより影響され周波数のふらつきが発生した搬送波信号を示す。なお、図３は、ディジタル無線機の送信オン／オフ制御の説明に必要な部分のみを記載し、他の部分は省略している。
図３において、３０は送信信号発生部、３１は所要周波数の搬送波信号を発生するシンセサイザ、３４は、シンセサイザ３１から出力された所要周波数の搬送波信号を所要信号レベルまで増幅するドライブアンプ、３７は、ドライブアンプ３４で増幅された所要周波数の搬送波信号を変調信号で変調して送信信号とする変調器、３８は、変調器３７で搬送波信号を変調する変調信号の入力端子、３９は、変調器３７から出力される送信信号の出力端子、３５は、ドライブアンプ３４へ供給する電源を制御信号でオン／オフ制御することができる電源スイッチ、４０は、電源スイッチ３５でオン／オフされドライブアンプ３４に供給される電源の入力端子、４１は、電源スイッチ３５をオン／オフ制御する送信オン／オフ制御信号の入力端子を示す。
【０００４】
つぎに、送信信号発生部３０の動作を説明する。
シンセサイザ３１は、所要周波数の搬送波信号を、常時、発生しており、発生した搬送波信号をドライブアンプ３４へ出力する。
このとき、電源入力端子４０は、所定電圧の電源に接続されているので、送信オン／オフ制御信号の入力端子４１から送信オン制御信号が電源スイッチ３５に入力され、電源スイッチ３５がオンとなると、電源入力端子４０に接続されている電源から所定電圧の電力がドライブアンプ３４へ供給される。
ドライブアンプ３４は、送信オン／オフ制御信号が電源スイッチ３５をオン制御しているとき、シンセサイザ３１から入力される所要周波数の搬送波信号を所定レベルまで増幅し、増幅した搬送波信号を変調器３７へ出力する。
変調器３７は、ドライブアンプ３４から入力される所定レベルまで増幅した所要周波数の搬送波信号を、変調信号入力端子３８から入力される変調信号で変調して送信信号とし、送信信号を送信信号出力端子３９へ出力する。
このように、送信信号発生部３０は、ドライブアンプ３４へ供給する所定電圧の電力をオン、あるいは、オフとする電源スイッチ３５が、送信オン／オフ制御信号の入力端子４１から入力される送信オン／オフ制御信号によりオン、あるいは、オフと制御される。
オン制御のときには、上述のように送信信号が出力されるが、オフ制御のときには、送信信号は出力されない。
【０００５】
さらに、図４に示す、電源スイッチ３５をオン／オフとする送信オン／オフ制御信号の波形およびドライブアンプ３４のオン／オフにより影響され周波数のふらつきが発生した搬送波信号を示す図を使用して説明する。
図４の波形４２は、電源スイッチ３５に入力される送信オン／オフ制御信号、波形４３は、シンセサイザ３１から出力される搬送波信号を示しており、波形４８は送信オン制御信号、波形４９は送信オフ制御信号である。
送信信号発生部３０（図３参照）の電源スイッチ３５には、電源入力端子４０から、常に、所定電圧の電力が供給されており、送信オン／オフ制御信号の入力端子４１から送信オン／オフ制御信号４２（図４参照）が入力される。
送信オン／オフ制御信号４２が送信オン制御信号４８のときには電源スイッチ３５がオン状態で上述のように送信信号が出力されるが、送信オフ制御信号４９のときには電源スイッチ３５がオフ状態で送信信号は出力されない。
【０００６】
上述のように、送信信号発生部３０は、電源スイッチ３５を送信オン／オフ制御信号４２でオン／オフ制御し、搬送波信号を増幅するドライブアンプ３４に印加される所定電圧の電力をオン／オフ制御することで、送信信号発生部３０から出力される送信信号のオン／オフを制御している。
送信信号発生部３０では、シンセサイザ３１から所要周波数の搬送波信号が、常時、ドライブアンプ３４へ出力されており、ドライブアンプ３４に所定電圧の電力が供給されたときのみ、搬送波信号をドライブアンプ３４で増幅し、変調器３７へ出力しているが、ドライブアンプ３４に供給される所定電圧の電力がオン／オフされることにより、その都度、シンセサイザ３１から出力される搬送波信号４３に周波数のふらつきが発生してしまう。
このシンセサイザ出力周波数ふらつき現象は、ドライブアンプ３４に供給する所定電圧の電力をオン／オフ制御することによるドライブアンプ３４の動作変化に伴う入力インピーダンス変動が原因である。
【０００７】
このようにシンセサイザ３１から出力されるシンセサイザ出力周波数４３にふらつきが発生することにより、ドライブアンプ３４で増幅され変調器３７において変調信号により変調された送信信号にも周波数のふらつきが発生しており、この送信信号を受信機で受信すると、受信信号を正確に復調することができず、データ誤りを起し易くなる。
このように、シンセサイザ出力周波数のふらつきはデータ誤りを起し易くなるので、図４に示すようなシンセサイザ出力周波数４３のふらつきを減少させる必要があり、従来、シンセサイザ３１とドライブアンプ３４との間にアッテネータとバッファアンプとを設けることにより、ドライブアンプ３４の電源オン／オフ動作をした直後に発生するドライブアンプ３４のインピーダンス変動によるシンセサイザ３１への影響を低減させ、シンセサイザ３１で発生する周波数のふらつきを改善していた。
【０００８】
つぎに、シンセサイザとドライブアンプとの間にアッテネータとバッファアンプと設けシンセサイザ出力周波数のふらつきを改善する従来の技術を図５、図６を使用して説明する。
図５は、従来のディジタル無線機に使用されている改善された送信信号発生部のブロック図を示し、図６は、送信信号発生部から出力される送信信号のオン／オフを制御する送信オン／オフ制御信号の波形と、送信信号のオン／オフ制御による影響を減少するように改善したシンセサイザ出力周波数を示す。なお、図５は、ディジタル無線機の送信オン／オフ制御の説明に必要な部分のみを記載し、他の部分は省略している。
図５において、５０は送信信号発生部、５１は所要周波数の搬送波信号を発生するシンセサイザ、５３−１、５３−２、５３−３は所要周波数の搬送波信号を増幅するとともに前後の回路の動作による影響を遮断するためのバッファアンプ、５２−１、５２−２は、所要周波数の搬送波信号を減衰させるアッテネータ、５４は、バッファアンプ５３−３から出力された所要周波数の搬送波信号を所要信号レベルまで増幅するドライブアンプ、５７は、ドライブアンプ５４で増幅された所要周波数の搬送波信号を変調信号で変調して送信信号とする変調器、５８は、変調器５７で搬送波信号を変調する変調信号の入力端子、５９は、変調器５７から出力される送信信号の出力端子、５５は、ドライブアンプ５４へ供給する電源を制御信号でオン／オフ制御することができる電源スイッチ、６０は、電源スイッチ５５でオン／オフされドライブアンプ５４に供給される電源の入力端子、６１は、電源スイッチ５５をオン／オフ制御する送信オン／オフ制御信号の入力端子を示す。
【０００９】
つぎに、送信信号発生部の動作を説明する。
シンセサイザ５１は、所要周波数の搬送波信号を、常時、発生しており、発生した搬送波信号をバッファアンプ５３−１へ出力する。
バッファアンプ５３−１は、シンセサイザ５１から入力される所要周波数の搬送波信号を所要信号レベルまで増幅し、増幅した搬送波信号をアッテネータ５２−１へ出力する。
アッテネータ５２−１は、バッファアンプ５３−１から入力される所要周波数の搬送波信号の信号レベルを減衰し、信号レベルを減衰した搬送波信号をバッファアンプ５３−２へ出力する。
バッファアンプ５３−２は、アッテネータ５２−１から入力される信号レベルを減衰した所要周波数の搬送波信号を所要信号レベルまで増幅し、増幅した搬送波信号をアッテネータ５２−２へ出力する。
アッテネータ５２−２は、バッファアンプ５３−２から入力される所要周波数の搬送波信号の信号レベルを減衰し、信号レベルを減衰した搬送波信号をバッファアンプ５３−３へ出力する。
バッファアンプ５３−３は、アッテネータ５２−２から入力される信号レベルを減衰した所要周波数の搬送波信号を所要信号レベルまで増幅し、増幅した搬送波信号をドライブアンプ５４へ出力する。
【００１０】
このとき、電源入力端子６０は、所定電圧の電源に接続されているので、送信オン／オフ制御信号の入力端子６１から送信オン制御信号が電源スイッチ５５に入力され、電源スイッチ５５がオンとなると、電源入力端子６０に接続されている電源からドライブアンプ５４へ所定電圧の電力が供給される。
ドライブアンプ５４は、送信オン制御信号が電源スイッチ５５をオン制御しているとき、バッファアンプ５３−３から入力される所要周波数の搬送波信号を所定レベルまで増幅し、増幅した搬送波信号を変調器５７へ出力する。
変調器５７は、ドライブアンプ５４から入力される所定レベルまで増幅した所要周波数の搬送波信号を、変調信号入力端子５８から入力される変調信号で変調して送信信号とし、送信信号を送信信号出力端子５９へ出力する。
このように、送信信号発生部５０は、ドライブアンプ５４へ供給する所定電圧の電力をオン、あるいは、オフとする電源スイッチ５５が、送信オン／オフ制御信号の入力端子６１から入力される送信オン／オフ制御信号によりオン、あるいは、オフと制御される。
オン制御のときには、上述のように送信信号が出力されるが、オフ制御のときには、送信信号は出力されない。
【００１１】
さらに、図６に示す、電源スイッチ５５をオン／オフとする送信オン／オフ制御信号およびドライブアンプ５４のオン／オフにより影響された周波数のふらつきを改善したシンセサイザ出力周波数を示す図を使用して説明する。
図６の波形６２は、電源スイッチ５５に入力される送信オン／オフ制御信号、波形６３は、シンセサイザ５１から出力される搬送波信号を示しており、波形６８は送信オン制御信号、波形６９は送信オフ制御信号である。
送信信号発生部５０（図５参照）の電源スイッチ５５には、電源入力端子６０から、常に、所定電圧の電力が供給されており、別途、送信オン／オフ制御信号入力端子６１から送信オン／オフ制御信号６２（図６参照）が入力される。
送信オン／オフ制御信号６２が送信オン制御信号６８のときには電源スイッチ５５がオン状態で上述のように送信信号が出力されるが、送信オフ制御信号６９のときには電源スイッチ５５がオフ状態で送信信号は出力されない。
【００１２】
送信信号発生部５０は、上述のように、電源スイッチ５５を送信オン／オフ制御信号６２でオン／オフ制御し、搬送波信号を増幅するドライブアンプ５４に印加される所定電圧の電力のオン／オフを制御して、送信信号発生部５０から出力される送信信号のオン／オフを制御している。
送信信号発生部５０は、シンセサイザ５１から所要周波数の搬送波信号が、常時、出力されており、ドライブアンプ５４に所定電圧の電力が供給されたときのみ、シンセサイザ５１で発生した搬送波信号をドライブアンプ５４で増幅し、変調器５７へ出力しているが、ドライブアンプ５４からシンセサイザ５１までの間にバッファアンプ５３とアッテネータ５２とを数段実装することにより、ドライブアンプ５４からシンセサイザ５１へのアイソレーションを多く取ることができ、ドライブアンプ５４の電源オン／オフ制御時に発生するインピーダンスの変動によるシンセサイザ５１への影響を減少させることが可能となり、シンセサイザ１で発生する周波数のふらつきを押さえ、図６に示すように、周波数のふらつきの無い、搬送波信号６３を得ていた。
【００１３】
【発明が解決しようとする課題】
従来技術による無線機は、搬送波信号を増幅するドライブアンプの電源オン／オフ直後のドライブアンプの入力インピーダンス変動によるシンセサイザの発振周波数のふらつきを押さえるため、ドライブアンプとシンセサイザとの間に多段のバッファアンプとアッテネータを設けてバッファ効果によるアイソレーションを得ていたが、回路の実装に多くのスペースを必要とし、且つ、バッファアンプの数が多くなるために消費電流も多くなるという問題があった。
本発明は、前記問題を解決し、ドライブアンプの電源オン／オフ直後の送信周波数のふらつきをなくし、且つ、回路実装スペースおよび消費電流の減少を図った無線機を提供することを目的とする。
【００１４】
【課題を解決するための手段】
前記目的を達成するために、本発明の無線機は、単一周波数の搬送波信号を発生するシンセサイザと、該シンセサイザから入力される上記搬送波信号の信号レベルを、別途減衰制御信号発生手段から入力される減衰制御信号により所要の減衰量の変化で減衰させることができるアッテネータと、該アッテネータから入力される搬送波信号の信号レベルを所要信号レベルまで増幅するドライブアンプと、該ドライブアンプから入力される搬送波信号を別途入力される変調信号で変調し送信信号を出力する変調器と、所要電圧の電源に接続されており、送信オン／オフ制御信号に応じて前記ドライブアンプに供給する所要電圧の電力をオン／オフする電源制御手段と、前記送信オン／オフ制御信号に応じて前記アッテネータの減衰量を変化させる前記減衰制御信号を出力する前記減衰信号発生手段とを備える送信信号発生部を有し送信信号を送信する送信機を具備し、前記減衰制御信号に基づいて前記アッテネータの減衰量を前記変調信号の予め定められた振幅の立ち上がり／立ち下がり特性に応じて予め定められた反比例した関数で変化させ、前記ドライブアンプから出力される搬送波信号の立ち上がり／立ち下がりを前記変調信号の特性とほぼ等しくなるようにし、前記ドライブアンプのオン／オフ制御においても周波数のふらつきを抑えたものである。
【００１５】
また、本発明の無線機は、単一周波数の搬送波信号を発生するシンセサイザと、該シンセサイザから入力される上記搬送波信号の信号レベルを、別途減衰制御信号発生手段から入力される減衰制御信号により所要の減衰量の変化で減衰させることができるアッテネータと、該アッテネータから入力される減衰された搬送波信号の信号レベルを所要信号レベルまで増幅するバッファアンプと、該バッファアンプから入力される搬送波信号の信号レベルを所要信号レベルまで増幅するドライブアンプと、該ドライブアンプから入力される搬送波信号を別途入力される変調信号で変調し送信信号を出力する変調器と、所要電圧の電源に接続されており、送信オン／オフ制御信号に応じて前記ドライブアンプに供給する所要電圧の電力をオン／オフする電源制御手段と、前記送信オン／オフ制御信号に応じて前記アッテネータの減衰量を変化させる前記減衰制御信号を出力する前記減衰信号発生手段とを備える送信信号発生部を有し送信信号を送信する送信機を具備し、前記減衰制御信号に基づいて前記アッテネータの減衰量を前記変調信号の予め定められた振幅の立ち上がり／立ち下がり特性に応じて予め定められた反比例した関数で変化させ、前記ドライブアンプから出力される搬送波信号の立ち上がり／立ち下がりを前記変調信号の特性とほぼ等しくなるようにし、前記ドライブアンプのオン／オフ制御においても周波数のふらつきを抑えたものである。
【００１６】
【発明の実施の形態】
本発明による無線機の実施の形態の一例を図１、図２を使用して説明する。
図１は、本発明によるディジタル無線機の送信信号発生部のブロック図を示し、図２は、送信信号発生部から出力される送信信号のオン／オフを制御する送信オン／オフ制御信号の波形と、シンセサイザから出力される周波数のふらつきを改善した搬送波信号と、各回路の動作波形とを示す。なお、図１は、本発明によるディジタル無線機の送信オン／オフ制御の説明に必要な部分のみを記載し、他の部分は省略している。
図１において、２０は送信信号発生部、１は所要周波数の搬送波信号を発生するシンセサイザ、２は、シンセサイザ１から入力される所要周波数の搬送波信号の信号レベルを、別途入力される制御信号により減衰量を制御し減衰させるアッテネータ、３は所要周波数の搬送波信号を増幅するとともに前後の回路の動作による影響を遮断するためのバッファアンプ、４は、バッファアンプ３から出力される所要周波数の搬送波信号を所要信号レベルまで増幅するドライブアンプ、７は、ドライブアンプ４で増幅された所要周波数の搬送波信号を変調信号で変調して送信信号とする変調器、８は、変調器７で搬送波信号を変調する変調信号（例えば、音声、データなどの伝送したい信号）の入力端子、９は、変調器７から出力される送信信号の出力端子、５は、ドライブアンプ４へ供給する電源を制御信号でオン／オフ制御する電源スイッチ、１０は、電源スイッチ５でオン／オフされドライブアンプ４に供給される電源の入力端子、６は、送信オン／オフ制御信号に応じてアッテネータ２の減衰量を制御する制御信号を出力するＣＰＵ、１１は、電源スイッチ５のオン／オフおよびＣＰＵ６から出力する制御信号の制御をする送信オン／オフ制御信号の入力端子を示す。
【００１７】
つぎに、本発明による無線機の送信信号発生部の動作を説明する。
シンセサイザ１は、所要周波数の搬送波信号を、常時、発生しており、発生した搬送波信号をアッテネータ２へ出力する。
アッテネータ２は、例えば電圧制御型可変アッテネータで構成され、シンセサイザ１から入力される所要周波数の搬送波信号の信号レベルを、別途、ＣＰＵ６から入力される制御信号（例えば制御信号にもとづく制御電圧）に応じた減衰量で減衰し、信号レベルを減衰した搬送波信号をバッファアンプ３へ出力する。
バッファアンプ３は、アッテネータ２から入力される信号レベルを減衰した所要周波数の搬送波信号を所要信号レベルまで増幅し、所要信号レベルまで増幅した搬送波信号をドライブアンプ４へ出力する。
【００１８】
このとき、電源入力端子１０は、所定電圧の電源に接続されているので、送信オン／オフ制御信号の入力端子１１から送信オン制御信号が電源スイッチ５とＣＰＵ６とに入力され、電源スイッチ５がオンとなると、電源入力端子１０に接続されている電源から所定電圧の電力がドライブアンプ４へ供給されるともに、ＣＰＵ６からアッテネータ２へ制御信号が出力される。
ドライブアンプ４は、送信オン／オフ制御信号が電源スイッチ５をオン制御しているとき、バッファアンプ３から入力される所要周波数の搬送波信号を所定レベルまで増幅し、増幅した搬送波信号を変調器７へ出力する。
変調器７は、ドライブアンプ４から入力される所定レベルまで増幅した所要周波数の搬送波信号を、変調信号入力端子８から入力される変調信号で変調して送信信号とし、変調信号で変調した送信信号を電力増幅器（図示していない）で所定の電力レベルまで電力増幅したのち、送信信号出力端子９へ出力する。
このように、送信信号発生部２０は、ドライブアンプ４へ供給する所定電圧の電力をオン、あるいは、オフとする電源スイッチ５と、アッテネータ２の減衰量を制御する制御信号を出力するＣＰＵ６とが、送信オン／オフ制御信号の入力端子１１から入力される送信オン／オフ制御信号によりオン、あるいは、オフと制御される。
オン制御のときには、上述のように送信信号が出力されるが、オフ制御のときには、送信信号は出力されない。
【００１９】
さらに、図２に示す、電源スイッチ５をオン／オフとする送信オン／オフ制御信号の波形、シンセサイザ１から出力される搬送波信号、各回路の波形図を使用して説明する。
図２の波形１２は、電源スイッチ５とＣＰＵ６とに入力される送信オン／オフ制御信号、波形１３は、シンセサイザ１から出力される搬送波信号、波形１４は、送信信号発生部２０から出力される送信信号、波形１５は、アッテネータ２の動作波形、波形１６は、変調器７に入力される変調信号、波形１７は、波形１６に示す変調信号の有効部、波形１８は、送信オン制御信号、波形１９は、送信オフ制御信号である。
なお、図２おいて、ｔは時間、ｆは搬送波信号周波数、ｐは送信信号出力レベル、ＡＴＴはアッテネータ減衰量、ΔＴは信号の立ち上がり／立ち下がり時間を示す。
送信信号発生部２０（図１参照）のドライブアンプ４を除く他の回路は、動作状態であり、電源スイッチ５には、電源入力端子１０から、常に、所定電圧の電力が供給されている状態とする。
【００２０】
送信オン／オフ制御信号１２が、送信オン／オフ制御信号の入力端子１１から電源スイッチ５とＣＰＵ６とに入力される。
送信オン／オフ制御信号１２が送信オン制御信号１８のときには電源スイッチ５がオン状態で上述のように送信信号が出力されるが、送信オフ制御信号１９のときには電源スイッチ５がオフ状態で送信信号は出力されない。
ＣＰＵ６は、送信オン／オフ制御信号１２が入力されると、Ｄ／Ａ出力端子からアッテネータ２へ減衰量を制御する制御信号を出力する。
アッテネータ２は、ＣＰＵ６から入力される制御信号にもとづき、アッテネータ減衰波形１５のように変調信号１６の振幅と反比例した関数で減衰量を変化させる。
【００２１】
送信オン／オフ制御信号１２は、このアッテネータ２の減衰量制御とともに、電源スイッチ５をオン／オフさせ、ドライブアンプ４に供給する所定電圧の電力をオン／オフ制御することで、ドライブアンプ４のオン／オフ制御を行ない、オン制御のときに所要レベルまで増幅した搬送波信号を変調器７へ出力する。
前述のアッテネータ減衰波形１５のように減衰され、ドライブアンプ４で増幅され、変調器７に入力される所要レベルまで増幅された搬送波信号の振幅特性は、アッテネータ減衰波形１５と同様の振幅特性となる。
この振幅特性の搬送波信号が、変調器７において変調信号入力端子８に入力される、例えば、音声、あるいは、データのような変調信号で変調され、送信信号となり、電力増幅器（図示していない）で所定の電力レベルまで電力増幅されたのち、送信信号出力端子９から送信信号出力波形１４に示す送信信号が出力される。
このとき、シンセサイザ１からは、ドライブアンプ４の電源をオン／オフ制御することによる影響をアッテネータ２とバッファアンプ３で遮断された周波数のふらつきの無い搬送波信号１３が得られる。
【００２２】
アッテネータ減衰波形１５のような減衰特性は、変調信号１６の立ち上り／立ち下がり特性と反比例した関数で変化させることにより得ることができ、ドライブアンプ４のオン／オフ直後に発生するインピーダンス変動が大きいときには減衰量を大きく設定しているため、ドライブアンプ４の入力部とシンセサイザ１との間のアイソレーションが大きくなり、ドライブアンプ４の入力インピーダンスの変動の影響をシンセサイザ１へ伝えにくくなり、シンセサイザ１で発生する搬送波信号の周波数のふらつきを押さえることができる。
また、時間の経過とともにアッテネータ２の減衰量を減少／増大させるようにしているため、ドライブアンプ４のインピーダンス変動が小さくなったときには、送信信号出力レベルとしても十分な値を得ることができ、変調信号有効信号部１７は、規定された搬送波信号レベルで送信を行なうことができ、変調信号有効信号部１７は欠落することなく伝送することが可能となる。
【００２３】
上述のように、本発明による無線機は、減衰量を制御信号で制御することが可能なアッテネータを使用し、送信オン／オフ制御のタイミングで変調信号の立ち上がり／立ち下がり特性と逆特性となるように減衰量を変化させることで、多段のバッファアンプとアッテネータが無くても、ドライブアンプの電源オン／オフ直後に発生する入力インピーダンスの変動の影響により発生するシンセサイザから出力される搬送波信号の周波数のふらつきを減少するこちとができ、回路の実装スペース、消費電流の減少を行なうことができる。
【００２４】
【発明の効果】
本発明によれば、ドライブアンプの電源オン／オフ直後の送信周波数のふらつきをなくし、且つ、回路実装スペースおよび消費電流の減少を図った無線機を提供することができる。
【図面の簡単な説明】
【図１】本発明による無線機の送信信号発生部のブロック図。
【図２】本発明による無線機の送信信号発生部の各回路の信号波形説明図。
【図３】従来の無線機の送信信号発生部のブロック図。
【図４】従来の無線機の送信信号発生部の信号波形説明図。
【図５】従来の無線機の送信信号発生部のブロック図。
【図６】従来の無線機の送信信号発生部の信号波形説明図。
【符号の説明】
１、３１、５１  シンセサイザ、
２  アッテネータ、
３、５３  バッファアンプ、
４、３４、５４  ドライブアンプ、
５、３５、５５  電源スイッチ、
６  ＣＰＵ、
７、３７、５７  変調器、
８、３８、５８  変調信号入力端子、
９、３９、５９  送信信号出力端子、
１０、４０、６０  電源入力端子、
１１、４１、６１  送信オン／オフ制御信号入力端子、
２０、３０、５０  送信信号発生部、
５２  アッテネータ。
１２、４２、６２  送信オン／オフ制御信号、
１３、４３、６３  搬送波信号、
１４  送信信号、
１５  アッテネータ動作波形、
１６  変調信号、
１７  変調信号有効部、
１８、４８、６８  送信オン制御信号、
１９、４９、６９  送信オフ制御信号。
【図１】
0003611748.tif 000002
【図２】
0003611748.tif 000003
【図３】
0003611748.tif 000004
【図４】
0003611748.tif 000005
【図５】
0003611748.tif 000006
【図６】
0003611748.tif 000007